(57)【要約】【課題】  床掘り作業が施される場所でも容易かつ正確に墨出しを行うことができる光墨出し器具を提供する。【解決手段】  本考案の光墨出し器具は、支持体１と、該支持体に取り付けられ、側方に延在する案内レール２と、該案内レールに移動可能に取り付けられた移動体３と、該移動体に固定された光反射ターゲット４と、前記光反射ターゲットに対して直接若しくは間接的に取り付けられ、鉛直軸４ｘに沿って下方に光線を照射する光源５と、を具備することを特徴とする。【選択図】図１
0003134970.tif 000002
【実用新案登録請求の範囲】
【請求項１】
支持体と、該支持体に取り付けられ、側方に延在する案内レールと、該案内レールに移動可能に取り付けられた移動体と、該移動体に固定された光反射ターゲットと、前記光反射ターゲットに対して直接若しくは間接的に取り付けられ、鉛直軸に沿って下方に光線を照射する光源と、を具備することを特徴とする光墨出し器具。
【請求項２】
前記光源は前記移動体及び前記光反射ターゲットの上方に配置され、前記移動体及び光反射ターゲットには前記鉛直軸に沿った光路が形成されていることを特徴とする請求項１に記載の光墨出し器具。
【請求項３】
前記光反射ターゲットの上方に光源載置台が取付固定され、該光源載置台上から前記光路に沿って前記光線が照射可能に構成されるとともに、前記光路上に着脱可能に取り付けられる光軸を確認するための芯出し部材を有することを特徴とする請求項２に記載の光墨出し器具。
【請求項４】
前記光源は前記光反射ターゲットに対する既定位置に固定可能に構成されていることを特徴とする請求項２に記載の光墨出し器具。
【請求項５】
前記支持体には前記移動体とは反対側に錘が取り付けられていることを特徴とする請求項１乃至４の何れか一項に記載の光墨出し器具。
【考案の詳細な説明】
【技術分野】
【０００１】
本考案は光墨出し器具に係り、特に鉛直下方に光線を照射することで墨出しを行うための器具に関する。
【背景技術】
【０００２】
一般に、測量においては既知点である基準点にセオドライト等の測量機（たとえば、以下の特許文献１参照）を設置し、この測量機と、反射プリズムユニット等の光反射ターゲットを用いて所定の方位及び距離にある新たな測量点を求め、当該測量点で下げ振りを用いて墨出しを行うことで、建物の基礎構造の位置を設定している。
【０００３】
また、上記測量機とともに用いられる光反射ターゲットは、通常、三脚やくい等の支持体に取り付けられた状態で設置され、測量機から照射されるレーザ光をプリズム等の再帰性反射材で反射させて測量機による距離計測を可能にするものであり、レーザ光を反射するためのプリズムを内蔵するとともに、表面に当該レーザ光が照射されていることを知るための光拡散板を備えたものが一般的である。
【０００４】
ところで、上記の新たな測量点における墨出し作業では、光反射ターゲットを用いて新たな測量点を設定した後に、当該測量点に設置された光反射ターゲットから下げ振りを吊り下げることで墨出しを行っていたが、下げ振りは風の影響を受けやすいために墨出し精度が低下する虞があることから、近年、鉛直下方にレーザ光を照射して光線による墨出しを行うためのレーザ式墨出し装置が開発されている。
【特許文献１】特開平８−１５９７６９号公報
【考案の開示】
【考案が解決しようとする課題】
【０００５】
しかしながら、建物の基礎構造の墨出しを行う場合には、最初に新たな測量点の近傍で床掘り作業を実施し、当該床堀り作業で掘り下げた範囲内において下げ振りやレーザ式墨出し装置を用いる必要があるが、床掘りによって生じた土砂が傍らに堆積している（後に埋め戻しに使うので離れた場所に土砂をおくことができない。）ために通り芯を出すのに邪魔になったり、穴が深い場合には丁張りを架けた上で丁張り板より下げ振りを下ろすことが必要になるなど、非常に手間がかかり、長時間の作業を要するといった問題点があった。
【０００６】
そこで、本考案は上記問題点を解決するものであり、床掘り作業が施される場所でも容易かつ正確に墨出しを行うことができる光墨出し器具を提供することにある。
【課題を解決するための手段】
【０００７】
斯かる実情に鑑み、本考案の光墨出し器具は、支持体と、該支持体に取り付けられ、側方に延在する案内レールと、該案内レールに移動可能に取り付けられた移動体と、該移動体に固定された光反射ターゲットと、前記光反射ターゲットに対して直接若しくは間接的に取り付けられ、鉛直軸に沿って下方に光線を照射する光源と、を具備することを特徴とする。この考案によれば、支持体から側方へ延在する案内レールに取付けられた移動体に光反射ターゲットが固定されていることにより、床掘り作業が実施された場所でも、穴の外側に支持体を設置して案内レールを穴上に張り出させることで穴の上方に測量点を設定することができるとともに、そのまま穴の上方から光線を鉛直下方に照射して墨出し作業を行うことができるので、手間を大幅に軽減でき、迅速に作業を終了させることができるとともに、測量点の設定後にそのまま光線を用いて墨出しを行うことができるので、墨出し精度を高めることが可能になる。
【０００８】
本考案において、前記光源は前記移動体及び前記光反射ターゲットの上方に配置され、前記移動体及び光反射ターゲットには前記鉛直軸に沿った光路が形成されていることが好ましい。これによれば、光源を移動体及び光反射ターゲットの上方に配置することで光源の取り付け作業や支持作業が容易になるとともに、移動体に支持される部分の重心の平面方向のずれが低減されるため、光源の取り付け構造を簡易に構成することが可能になる。
【０００９】
本考案において、前記光反射ターゲットの上方に光源載置台が取付固定され、該光源載置台上から前記光路に沿って前記光線が照射可能に構成されるとともに、前記光路上に着脱可能に取り付けられる光軸を確認するための芯出し部材を有することが好ましい。これによれば、光源載置台上に光源を載せ、光路上に取り付けられた芯出し部材を用いて光線の芯出しを行った後に芯出し部材を取り外すことで、簡単に墨出し作業を行うことができる。また、光源載置台上に光源を載置するだけでよいので、市販のレーザ墨出し装置などを適宜に用いることが可能になる。ここで、芯出し部材としては光路に対する固定位置に取り付け可能とされるとともに、正規の光軸位置を示す表示が施されていることが好ましい。
【００１０】
本考案において、前記光源は前記光反射ターゲットに対する既定位置に固定可能に構成されていることが好ましい。これによれば、光源を光反射ターゲットに固定することで正確な墨出し作業を容易に行うことができる。
【００１１】
本考案において、前記支持体には前記移動体とは反対側に錘が取り付けられていることが好ましい。これによれば、錘によって移動体、光反射ターゲット及び光源の重量のバランスを改善することができる。したがって、案内レールの側方への張り出し量を大きくしても支持体の転倒を回避でき、市販の三脚等といった一般的な支持体を用いることができるなどの効果が得られる。
【考案を実施するための最良の形態】
【００１２】
以下、本考案の実施の形態を図示例と共に説明する。図１は本考案の第１実施形態の全体構成を示す概略斜視図、図３は本実施形態の主要部の分解斜視図、図４は当該主要部を上方より見た様子を示す斜視図である。
【００１３】
本実施形態は、図１に示すように、三脚等で構成される支持体１と、この支持体１に取り付けられ、側方に延在する案内レール２と、案内レール２に移動可能に取り付けられた移動体３と、移動体３に固定された光反射ターゲット４と、光反射ターゲット４に対して直接若しくは間接的に取り付けられ、鉛直軸４ｘに沿って下方に光線を照射する光源５と、を具備する。
【００１４】
支持体１は、上記案内レール２の取付けられた部分（上部）が上下に移動可能に構成されている。ここで、案内レール２の取付けられた支柱部１ａが昇降可能に構成されていてもよく、また、三脚状に構成された支持脚１ｂが伸縮可能に構成されていてもよい。
【００１５】
案内レール２は、支持体１の上部において水平方向に回転可能で、かつ、支持体１の側方に（好ましくは水平に）延在する姿勢で取り付けられている。ここで、案内レール２が支持体１に対して着脱自在に取り付けられていることが好ましい。案内レール２は図３及び図４に示すように２本の棒状のレール材２ａ，２ｂを先端部に設けられた固定部材２ｃで連結固定したものである。
【００１６】
図示例の場合、案内レール２は支持体１の上部から移動体３のある部分の反対側にも延在し、当該反対側にある部分に錘６が取り付けられている。この錘６は上記案内レール２、移動体３、光反射ターゲット４及び光源５などの重量による支持体５の転倒を防止し、支持体１の支持バランスを調整するために設けられている。錘６は着脱可能に取り付けられ、必要に応じて錘の量を増減可能に構成されることが好ましい。また、錘６の取り付け位置（支持体１との間の距離）を変更可能に構成する（特に錘６をスライド可能に構成する）ことで、微妙なバランス調整を容易に実施できるようになる。さらに、錘６は案内レール２自体ではなく、案内レールの張り出し方向とは反対側に張り出すように支持体１に取付けられた別の部材に取付けられていてもよい。
【００１７】
移動体３は案内レール２上に嵌合し、案内レールの延在方向に移動可能に取り付けられている。より具体的に述べると、図３に示すように、移動体３の底面には上記レール材２ａ，２ｂに対して摺動可能に嵌合する凹溝３ａ，３ｂが形成されている。また、移動体３を案内レール２上に保持するための、特に好ましくは案内レール２上の所定位置に保持可能に構成された保持構造である、ネジ穴３ｃ、押さえ板３ｄ及び押さえネジ３ｅが設けられている。
【００１８】
移動体３には上記光路を構成する開口部３ｆが設けられ、この開口部３ｆに臨むように、移動体３の底面上に回動可能に取り付けられ、延長された開口形状（楕円若しくは長円形状）を有する案内スリーブ３ｇが取り付けられ、この案内スリーブ３ｇを通して案内された中空の取り付けネジ３ｈが好ましくは座金３ｉを通して光反射ターゲット４を固定するように構成されている。光反射ターゲット４は好ましくは姿勢調整器７を介して移動体３に取り付けられる。姿勢調整器７は姿勢調整ネジ７ａ，７ｂ，７ｃを備え、これらの姿勢調整ネジを回転させることで光反射ターゲット４の姿勢を適宜に調整できるようになっている。
【００１９】
光反射ターゲット４は、測量に用いるレーザ光を入射方向に反射させるための反射プリズム等の再帰性反射材、レーザ光の照射位置を視認可能とするための光拡散板などを内蔵したターゲット体４ａと、このターゲット体４ａを支持固定する支持枠４ｂとを有する。支持枠４ｂには、図３及び図４に示すように、鉛直に伸びる鉛直軸４ｘに沿って上部孔４ｃ及び下部孔４ｄが形成されている。この延長軸４ｘはターゲット体４ａの背後を通過するように構成されている。また、この鉛直軸４ｘはターゲット体４ａで反射されるレーザ光を正反射させたと仮定した場合の仮想の反射位置である反射基準点を通過するように構成されていることが好ましい。ただし、実際には鉛直軸４ｘが上記反射基準点に対応した点（基準点と既定の位置関係にある点）を通過するように構成されていればよい。
【００２０】
支持枠４ｂの下部孔４ｄの上開口には、芯出し部材（ピン）４ｅが着脱可能に装着される。この芯出し部材４ｅは、頭部に図示十字状の芯位置表示マークが形成され、後述するようにレーザ光を上記鉛直軸４ｘに沿って照射したときにその光軸を軸芯に設定するために使用される。なお、この芯出し部材４ｅは光線による墨出し作業時には取り外される。
【００２１】
光反射ターゲット４の上部には載置台（整準台）８が装着される。載置台８は好ましくは平坦な板状材で構成され、光反射ターゲット４上で水平姿勢となるように取り付け固定される。載置台８の中央には上記光路を構成するための貫通孔８ａが形成されている。ただし、載置台８を光源５から放射される光を透過する素材（たとえばアクリル樹脂、ポリカーボネート樹脂など）で構成すれば貫通孔８を不要とすることもできる。
【００２２】
光源５は、特に限定されるものではないが、図示例の場合、携帯型のレーザ墨出し機で構成される。この種のレーザ墨出し機の多くは水準器５ａを装備するので、光源５の水準器５ａを用いて上記姿勢調整器７を操作することで載置台８を介して水平姿勢が得られるように調整可能である。また、光源５は設置場所が水平でなくてもレーザ光の照射方向が鉛直方向に自動的に調芯される機能を有することが好ましい。光源５を上記載置台８上に設置し、レーザ光を照射すると、貫通孔８ａ、上部孔４ｃ、下部孔４ｄ、姿勢調整器７の貫通孔７ｄ、移動体３の開口部３ｆ、取り付けネジ３ｈの軸孔３ｊによって構成される光路を通してレーザ光が鉛直下方に照射されるように構成されている。
【００２３】
このとき、図４に示すように下部孔４ｄに芯出し部材４ｅを装着すると、レーザ光が芯出し部材４ｅの頭部に照射されることでその光軸が上記光路の軸芯を通過しているか否かを知ることができる。レーザ光の光軸が軸芯からずれている場合には、光源５を載置台８上で移動させて調整する。
【００２４】
なお、取り付けネジ３ｈの位置は移動体３の本体に対してある程度調整可能とされているので、上記光路が支障なく形成されるように取り付けネジ３ｈを調整し、その軸孔３ｊが上記光路に整合するように調整することができる。このとき、移動体３の本体に回動可能に取付けられた案内スリーブ３ｇは、移動体３の本体に対する取り付けネジ３ｈの平面方向の位置を変更可能にしつつ、取り付けネジ３ｈの垂直姿勢を維持する機能を有している。レーザ光の芯出し作業が完了すると、芯出し部材４ｅを取り外すことでレーザ光が鉛直下方に照射される。この延長下方に照射されたレーザ光の照射点が墨出し位置となる。
【００２５】
図２は上記第１実施形態の光源５とは異なる別の光源５′を用いる場合の第２実施形態の全体構成を示す概略斜視図、図５は別の光源５′の取り付け構造を示す部分正面図である。この光源５′は光反射ターゲット４の上部に取り付け部材９を介して固定される。すなわち、取り付け部材９は、下部に光反射ターゲット４と固定するための下部取り付け構造（取り付け雄ネジ部など、図示せず。）を有し、上部に光源５′に接続するための上部取り付け構造（取り付けネジ孔など、図示せず。）を有する。など、この取り付け部材９にも図示しない軸孔が形成されており、当該軸孔を通してレーザ光を下方へ照射できるように構成されている。
【００２６】
上記の光墨出し器具を用いる場合には、たとえば以下のようにする。最初に、光反射ターゲット４を図示しない測量機とともに用いて概略の測量を行い、新たな測量点の概略位置を確認する。次に、地面を床掘りし、この床掘りによって形成された穴の傍らに支持体１を設置する。そして、支持体１、案内レール２及び移動体３の位置を調整することで、光反射ターゲット４が穴の上方にほぼ配置されるように設定する。その後、図示しない測量機を用いて方位及び距離を設定し、光反射ターゲット４が正確な測量点に配置されるように、案内レール２及び移動体３の位置を微調整する。
【００２７】
その後、第１実施形態の場合には載置台８上に光源５をセットし、上記のように芯出し部材４ｅを用いて芯出しを行った後、芯出し部材４ｅを取り外して、レーザ光を上記光路を通して穴内に照射する。このようにすると、レーザ光は鉛直軸４ｘに沿って照射されるので、穴内の照射スポットが墨出し位置となる。ここで、第１実施形態では簡易なレーザ墨出し機を用いることができ、種々のレーザ墨出し機に対する対応性も高いという利点がある。
【００２８】
一方、第２実施形態の場合には光源５′が光反射ターゲット４に固定されるので、芯出し作業を要することなく直ちに墨出し作業を行うことができる。ここで、第２実施形態では、光源５′と光反射ターゲット４の位置関係（軸芯関係）及び鉛直方向を正確に設定することができる。
【００２９】
本実施形態では、支持体１から側方へ張り出した案内レール２に取付けられた移動体３に光反射ターゲット４及び光源５、５′を取り付けているので、床掘りを施した場所でも容易かつ正確に墨出しを実施できるため、作業の煩雑さや作業時間を大幅に軽減できるという効果が得られる。特に、支持体１、案内レール２及び移動体３の組み合わせにより、光反射ターゲット４の位置を支持体１の側方において半径方向及び回転方向に自在に調整できるため、測量機を用いて光反射ターゲット４を測量点に容易に位置合わせでき、しかも、位置合わせと同時に極めて容易に墨出しを行うことができる。また、案内レール２を既定の方向にセットすれば移動体３を案内レール２に沿って移動させて墨出しを行うことで当該既定の方向及びこれに直交する方向を設定することもできる。
【００３０】
尚、本考案の光墨だし器具は、上述の図示例にのみ限定されるものではなく、本考案の要旨を逸脱しない範囲内において種々変更を加え得ることは勿論である。たとえば、上記実施形態では光源としてレーザ墨出し機を用いているが、墨出し作業に必要な視認性を確保できるものであれば、レーザ光を照射するものでなく通常の光線を照射するものであってもよい。また、案内レール２の両側に支持体１をそれぞれ設置して案内レール２を支持することで、案内レール２及び移動体３の安定性を増すことができ、案内レール２を長くすることも可能になる。
【図面の簡単な説明】
【００３１】
【図１】第１実施形態の全体構成を示す概略斜視図。
【図２】第２実施形態の全体構成を示す概略斜視図。
【図３】第１実施形態の主要部の分解斜視図。
【図４】第１実施形態の主要部の拡大斜視図。
【図５】第２実施形態の主要部の概略正面図。
【符号の説明】
【００３２】
１…支持体、２…案内レール、３…移動体、３ｆ…開口部、３ｈ…取り付けネジ、３ｊ…軸孔、４…光反射ターゲット、４ａ…ターゲット体、４ｂ…支持枠、４ｃ…上部孔、４ｄ…下部孔、４ｅ…芯出し部材、５、５′…光源（レーザ墨出し機）、６…錘、７…姿勢調整器、７ａ…貫通孔、８…載置台、８ａ…貫通孔、９…取り付け部材
【図１】
0003134970.tif 000003
【図２】
0003134970.tif 000004
【図３】
0003134970.tif 000005
【図４】
0003134970.tif 000006
【図５】
0003134970.tif 000007